(57)【特許請求の範囲】
【請求項１】
エレベータ利用者により操作されるボタン操作部をそれぞれ有し、乗場壁に上下に並べて設けられている上部ボタン及び下部ボタン、及び
上記乗場壁に設けられ、上記上部ボタン及び上記下部ボタンの周囲をカバーするフェースプレート
を備えているエレベータの乗場ボタン装置において、
上記ボタン操作部は、上下方向の一端部である第１端部と、上下方向の他端部である第２端部とを有し、
上記ボタン操作部の表面は、上記第２端部から上記第１端部へ向けて曲線的に徐々に隆起するような断面形状を有しており、
上記上部ボタンの上記ボタン操作部と上記下部ボタンの上記ボタン操作部とは、上下方向について互いに逆向きに配置されており、
上記フェースプレートの上記上部ボタン及び上記下部ボタンの間の部分には、エレベータ利用者に触覚により階床名を伝えるための階床凸部が設けられていることを特徴とするエレベータの乗場ボタン装置。
【請求項２】
エレベータ利用者により操作されるボタン操作部をそれぞれ有し、乗場壁に上下に並べて設けられている上部ボタン及び下部ボタン、及び
上記乗場壁に設けられ、上記上部ボタン及び上記下部ボタンの周囲をカバーするフェースプレート
を備えているエレベータの乗場ボタン装置において、
上記上部ボタン及び上記下部ボタンのいずれか一方の上記ボタン操作部の表面は、凸状の湾曲面であり、
上記上部ボタン及び上記下部ボタンの他方の上記ボタン操作部の表面は、凹状の湾曲面であり、
上記フェースプレートの上記上部ボタン及び上記下部ボタンの間の部分には、エレベータ利用者に触覚により階床名を伝えるための階床凸部が設けられていることを特徴とするエレベータの乗場ボタン装置。
【請求項３】
上記上部ボタン及び上記下部ボタンの上記ボタン操作部の表面には、上記上部ボタン及び上記下部ボタンのどちらであるかをエレベータ利用者に触覚により伝えるためのボタン凸部が設けられていることを特徴とする請求項１又は請求項２に記載のエレベータの乗場ボタン装置。
【発明の詳細な説明】
【技術分野】
【０００１】
この発明は、乗場に設けられ、乗場呼びの指令を入力するためのエレベータの乗場ボタン装置に関するものである。
【背景技術】
【０００２】
従来のエレベータの操作盤では、視覚障害者に操作ボタンの機能を伝えるための凸状物が操作ボタン表面に設けられている。凸状物の形状は、例えば戸開及び戸閉を示すように一対の三角形を組み合わせた図形である（例えば、特許文献１参照）。【０００３】
【特許文献１】特開２００３−１２２４８号公報
【発明の開示】
【発明が解決しようとする課題】
【０００４】
しかし、従来の操作ボタンでは、視覚障害者は凸状物の形状の違いだけで操作ボタンを判別する必要があるため、小さな凸状物を指先で丁寧になぞる必要があり、凸状物の形状を把握するのに時間がかかり、操作ボタンの選択に時間がかかってしまう。【０００５】
この発明は、上記のような課題を解決するためになされたものであり、上部ボタン及び下部ボタンの判別を触覚により簡単に行うことができるエレベータの乗場ボタン装置を得ることを目的とする。
【課題を解決するための手段】
【０００６】
この発明によるエレベータの乗場ボタン装置は、エレベータ利用者により操作されるボタン操作部をそれぞれ有し、乗場壁に上下に並べて設けられている上部ボタン及び下部ボタンを備え、ボタン操作部は、上下方向の一端部である第１端部と、上下方向の他端部である第２端部とを有し、ボタン操作部の表面は、第２端部から第１端部へ向けて曲線的に徐々に隆起するような断面形状を有しており、上部ボタンのボタン操作部と下部ボタンのボタン操作部とは、上下方向について互いに逆向きに配置されている。
また、この発明によるエレベータの乗場ボタン装置は、エレベータ利用者により操作されるボタン操作部をそれぞれ有し、乗場壁に上下に並べて設けられている上部ボタン及び下部ボタンを備え、上部ボタン及び下部ボタンのいずれか一方のボタン操作部の表面は、凸状の湾曲面であり、上部ボタン及び下部ボタンの他方のボタン操作部の表面は、凹状の湾曲面である。
【図面の簡単な説明】
【０００７】
【図１】この発明の実施の形態１によるエレベータの乗場ボタン装置を示す正面図である。
【図２】図１のＩＩ−ＩＩ線に沿う断面図である。
【図３】この発明の実施の形態２によるエレベータの乗場ボタン装置を示す正面図である。
【図４】図３のＩＶ−ＩＶ線に沿う断面図である。
【図５】この発明の実施の形態３によるエレベータの乗場ボタン装置を示す正面図である。
【図６】図５のＶＩ−ＶＩ線に沿う断面図である。
【図７】この発明の実施の形態４によるエレベータの乗場ボタン装置を示す正面図である。
【図８】図７のＶＩＩＩ−ＶＩＩＩ線に沿う断面図である。
【発明を実施するための最良の形態】
【０００８】
以下、この発明の好適な実施の形態について図面を参照して説明する。
実施の形態１．
図１はこの発明の実施の形態１によるエレベータの乗場ボタン装置を示す正面図、図２は図１のＩＩ−ＩＩ線に沿う断面図である。図において、エレベータ乗場の乗場壁には、ボックス１が埋設されている。ボックス１には、乗場呼びの指令を入力するための上部ボタン２及び下部ボタン３が上下に並べて設けられている。ボックス１内には、上部ボタン２及び下部ボタン３の操作に応じて、乗場呼びの指令信号を制御盤（図示せず）に対して出力するための回路基板（図示せず）等が収容されている。【０００９】
上部ボタン２及び下部ボタン３は、ボタン本体４と、ボタン本体４の表面に設けられたボタン操作部としてのボタンキャップ５とをそれぞれ有している。ボタンキャップ５は、透明なプラスチックにより構成され、エレベータ利用者により押圧操作される。ボタン本体４には、ボタンキャップ５が操作されて制御盤に乗場呼びが登録されると点灯する登録灯が設けられている。【００１０】
ボタンキャップ５は、上下方向の一端部である第１端部と、上下方向の他端部である第２端部とを有している。ボタンキャップ５の表面は、第２端部から第１端部へ向けて曲線的に徐々に隆起するような断面形状（ウエーブ形状）を有している。即ち、ボタンキャップ５の表面には、隆起部５ａが設けられている。そして、上部ボタン２のボタンキャップ５と下部ボタン２のボタンキャップ５とは、上下方向について互いに逆向きに配置されている。言い換えれば、上部ボタン２のボタンキャップ５と下部ボタン２のボタンキャップ５とは、上下対称に配置されている。【００１１】
ここで、上部ボタン２のボタンキャップ５では、上端部が第１端部、下端部が第２端部である。また、下部ボタン３のボタンキャップ５では、下端部が第１端部、上端部が第２端部である。このため、上部ボタン２のボタンキャップ５では、隆起部５ａが上端部に位置し、下部ボタン３のボタンキャップ５では、隆起部５ａが下端部に位置する。また、ボタンキャップ５には、エレベータ利用者が移動したい方向を選択するための矢印が描かれている。【００１２】
ボックス１の前面には、乗場に臨むフェースプレート８が固定されている。フェースプレート８は、上部ボタン２及び下部ボタン３の周囲をカバーする。即ち、フェースプレート８には、上部ボタン２及び下部ボタン３のボタンキャップ５が貫通した上部開口部８ａ及び下部開口部８ｂが設けられている。【００１３】
このような乗場ボタン装置では、各ボタンキャップ５の表面形状が上下非対称であり、かつ上部ボタン２のボタンキャップ５と下部ボタン２のボタンキャップ５とが上下方向について互いに逆向きに配置されているので、エレベータ利用者が視覚障害者であった場合にも、ボタンキャップ５に触れて表面形状を認識するだけで、上部ボタン２及び下部ボタン３の判別を触覚により簡単に行うことができる。【００１４】
また、ボタンキャップ５の表面に小さな凸部を設ける必要がないので、操作する際に指先に軽い痛みや違和感を覚えることがない。
さらに、上部ボタン２と下部ボタン３とで共通のボタンキャップ５を用いることができ、コストを低減することができる。【００１５】
なお、上記の例では、隆起部５ａは、上部ボタン２の上端部と下部ボタン３の下端部とに位置したが、逆に、上部ボタン２の下端部と下部ボタン３の上端部とに位置させてもよい。【００１６】
実施の形態２．
次に、図３はこの発明の実施の形態２によるエレベータの乗場ボタン装置を示す正面図、図４は図３のＩＶ−ＩＶ線に沿う断面図である。図において、上部ボタン１１は、ボタン本体４と、ボタン本体４の表面に設けられたボタン操作部としての上部ボタンキャップ１３とを有している。下部ボタン１２は、ボタン本体４と、ボタン本体４の表面に設けられたボタン操作部としての下部ボタンキャップ１４とを有している。【００１７】
上部ボタンキャップ１３の表面は、凸状の湾曲面である。また、下部ボタンキャップ１４の表面は、凹状の湾曲面である。即ち、上部ボタンキャップ１３の操作面は、乗場側に突出しているのに対して、下部ボタンキャップ１４の操作面には溝状の窪みが設けられている。【００１８】
このような乗場ボタン装置では、上部ボタンキャップ１３の表面を凸状の湾曲面とし、下部ボタンキャップ１４の表面を凹状の湾曲面としたので、エレベータ利用者が視覚障害者であった場合にも、ボタンキャップ１３，１４に触れて表面形状を認識するだけで、上部ボタン１１及び下部ボタン１２の判別を触覚により簡単に行うことができる。また、ボタンキャップ１３，１４の表面に小さな凸部を設ける必要がないので、操作する際に指先に痛みや違和感を覚えることがない。【００１９】
なお、上記の例では、上部ボタンキャップ１３の表面を凸状の湾曲面とし、下部ボタンキャップ１４の表面を凹状の湾曲面としたが、逆に、上部ボタンキャップ１３の表面を凹状の湾曲面とし、下部ボタンキャップ１４の表面を凸状の湾曲面としてもよい。
また、ボタンキャップ１３，１４の表面の湾曲面は、球面状であってもよい。【００２０】
ここで、かご操作盤には、行先階ボタンやドアの開閉ボタンなどの多くのボタンが設けられているが、乗場ボタン装置は、上部ボタン２，１１及び下部ボタン３，１２のみが設けられている場合が多い。このため、実施の形態１、２に示したように、上部ボタン２，１１及び下部ボタン３，１２の表面形状を大きく変えることにより、ボタン選択を容易にすることができる。即ち、この発明の構成は、乗場ボタン装置に特に有効である。【００２１】
実施の形態３．
次に、図５はこの発明の実施の形態３によるエレベータの乗場ボタン装置を示す正面図、図６は図５のＶＩ−ＶＩ線に沿う断面図である。図において、上部ボタン２及び下部ボタン３のボタンキャップ５の表面には、上部ボタン２及び下部ボタン３のどちらであるかをエレベータ利用者に触覚により伝えるためのボタン凸部（凸文字）５ｂが設けられている。ここでは、ボタン凸部５ｂの正面形状は、対応する方向を指し示す矢印形である。他の構成は、実施の形態１と同様である。【００２２】
このような乗場ボタン装置では、ボタンキャップ５の表面にボタン凸部５ｂが設けられているので、触れているボタンが上部ボタン２であるか下部ボタン３であるかをより確実に認識させることができる。【００２３】
なお、上記の例では、ボタン凸部５ｂの形状を矢印形としたが、これに限定されるものではなく、例えば三角形、又は「上」、「下」等の文字形状などであってもよい。
また、実施の形態２で示したようなボタンキャップ１３，１４の表面にボタン凸部を設けてもよい。【００２４】
実施の形態４．
次に、図７はこの発明の実施の形態４によるエレベータの乗場ボタン装置を示す正面図、図８は図７のＶＩＩＩ−ＶＩＩＩ線に沿う断面図である。図において、フェースプレート８の上部ボタン２及び下部ボタン３の間の部分には、エレベータ利用者に触覚により自階床名を伝えるための第１及び第２の階床凸部１５，１６が設けられている。ここでは、第１の階床凸部１５は、階数を示す数字形の突起であり、第２の階床凸部１６は階数を示す点字である。他の構成は、実施の形態１と同様である。【００２５】
このように、フェースプレート８の上部ボタン２及び下部ボタン３の間の部分に階床凸部１５，１６を設けることにより、エレベータ利用者が視覚障害者である場合、上部ボタン２及び下部ボタン３を確認しながら自階床も併せて確認することができる。【００２６】
なお、階床凸部は、数字形の突起や点字に限定されるものではない。
また、実施の形態２及び実施の形態３の乗場ボタン装置に階床凸部を設けてもよい。
【図１】
0004855266.tif 000002
【図２】
0004855266.tif 000003
【図３】
0004855266.tif 000004
【図４】
0004855266.tif 000005
【図５】
0004855266.tif 000006
【図６】
0004855266.tif 000007
【図７】
0004855266.tif 000008
【図８】
0004855266.tif 000009